(57)【要約】【課題】  従来の電子ペーパー、外観可変装置、外観可変構造体は、三次元曲面および小半径曲面のいずれかを含む構造体の外観面に付設することができなかった。【解決手段】  複数枚の基板が積層され、三次元曲面および小半径曲面のいずれかを含む構造体の外観面に付設する付設面を備えたディスプレイ用基板の付設面の反対側に、所定のデザインを表示する表示部が設けられており、付設面が三次元曲面および小半径曲面のいずれかを含む構造体の外観面に合わさるように、ディスプレイ用基板が予め成形されて組み立られる。【選択図】        図４
2011013554.tif 000002
【特許請求の範囲】
【請求項１】
構造体に付設する付設面が予め三次元曲面および小半径曲面のいずれかを含む前記構造体の外観面に合わさるように成型された背面側基板と、
前記背面側基板の付設面の反対側に順次積層されるように成型された１枚以上の表示側基板と、
を備えており、
前記背面側基板および前記１枚以上の表示側基板が組み立てられたディスプレイ用基板が、前記付設面の反対側の面に所定のデザインを表示する表示部を有して構造体の外観部となるように構成されていることを特徴とする電子ペーパー。
【請求項２】
熱可塑性を有し、複数枚の基板が積層され構造体に付設する付設面を備えた平面状のディスプレイ用基板の付設面が、三次元曲面および小半径曲面のいずれかを含む前記構造体の外観面に合わさるように曲面成型され、
前記曲面成型されたディスプレイ用基板が、前記付設面の反対側の面に所定のデザインを表示する表示部を有して構造体の外観部となるように構成されていることを特徴とする電子ペーパー。
【請求項３】
前記電子ペーパー１枚につき、複数の表示部が設けられていることを特徴とする請求項１または求項２に記載の電子ペーパー。
【請求項４】
前記電子ペーパーが、２枚の基板間に表示媒体を封入し、前記２枚の基板のそれぞれに設けたパターン電極から表示媒体に電界を付与することによって、前記表示媒体を移動させてデザインを表示することを特徴とする請求項１乃至請求項３のいずれか１つに記載の電子ペーパー。
【請求項５】
前記電子ペーパーが、電気泳動方式、フレキシブル基板用ＴＦＴ方式、フレキシブル有機ＥＬ方式、液晶方式、ツイストボール方式、粉体移動方式のいずれかで構成されていることを特徴とする請求項１乃至請求項３のいずれか１つに記載の電子ペーパー。
【請求項６】
前記構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかであることを特徴とする請求項１乃至請求項５のいずれか１つに記載の電子ペーパー。
【請求項７】
前記構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかの外観面を構成する部品であることを特徴とする請求項１乃至請求項５のいずれか１つに記載の電子ペーパー。
【請求項８】
前記ディスプレイ用基板のうち、最も視認側に近い基板が、表示部を保護する保護部材で構成されており、
前記保護部材が前記構造体に付設自在に構成されていることを特徴とする請求項１乃至請求項７のいずれか１つに記載の電子ペーパー。
【請求項９】
請求項８に記載の電子ペーパーと、
前記電子ペーパーの表示部に表示するデータを記憶するデザイン記憶手段と、
前記デザイン記憶手段により記憶されたデータを変換し前記表示部に前記デザインを表示するための電圧を前記電子ペーパーに印可する電圧印可手段の動作を制御する制御手段と、
を備えていることを特徴とする外観可変装置。
【請求項１０】
請求項１乃至前記請求項７のいずれか１つに記載の電子ペーパーと、
前記電子ペーパーの表示部に表示するデータを記憶するデザイン記憶手段と、
前記デザイン記憶手段により記憶されたデータを変換し前記表示部に前記デザインを表示するための電圧を前記電子ペーパーに印可する電圧印可手段の動作を制御する制御手段と、
を備えていることを特徴とする外観可変装置。
【請求項１１】
請求項１０に記載の記載の外観可変装置において、さらに前記電子ペーパーを保護する保護部材が、前記電子ペーパーを覆うように、前記構造体に付設自在に構成されていることを特徴とする外観可変装置。
【請求項１２】
表示側基板側にデザインを表示する表示部を有し、構造体の外観部を構成する電子ペーパーと、
前記電子ペーパーを保護し、構造体の外観面に付設される保護部材と、
を有しており、
前記電子ペーパーの表示側基板が、前記保護部材の構造体側の面と前記構造側の反対側の面の両面のうち、前記構造体側の面に付設されており、
前記電子ペーパーのそれぞれの表示部に表示するデザインをデータとして記憶するデータ記憶手段と、
前記データ記憶手段により記憶されたデータを変換し前記表示部に前記デザインを表示するための電圧を前記電子ペーパーに印可する電圧印可手段の動作を制御する制御手段と、
を備えていることを特徴とする外観可変装置。
【請求項１３】
表示側基板側にデザインを表示する表示部を有し、構造体の外観部を構成する電子ペーパーと、
前記電子ペーパーを保護し、構造体の外観面に付設される保護部材と、
を有しており、
前記電子ペーパーが、前記保護部材と前記構造体との間に挟まれており、
前記電子ペーパーのそれぞれの表示部に表示するデザインをデータとして記憶するデータ記憶手段と、
前記データ記憶手段により記憶されたデータを変換し前記表示部に前記デザインを表示するための電圧を前記電子ペーパーに印可する電圧印可手段の動作を制御する制御手段と、
を備えていることを特徴とする外観可変装置。
【請求項１４】
前記構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかであることを特徴とする請求項９乃至請求項１３のいずれか１つに記載の外観可変装置。
【請求項１５】
前記構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかの外観面を構成する部品であることを特徴とする請求項９乃至請求項１３のいずれか１つに記載の外観可変装置。
【請求項１６】
前記デザイン記憶手段に記憶されるデータが、複数記憶されており、
前記複数のデータから所定のデータを選択して前記表示部に表示するデータ選択表示手段を備えていることを特徴とする請求項９乃至請求項１５のいずれか１つに記載の外観可変装置。
【請求項１７】
前記デザイン記憶手段に記憶されるデータが、複数記憶されており、
前記制御装置が、時間の経過に合わせて、前記複数のデータのなかから所定のデータを順次選択し、
前記データに対応するデザインを前記表示部に表示することを特徴とする請求項９乃至請求項１５のいずれか１つに記載の外観可変装置。
【請求項１８】
前記データの一部および全部のいずれかが、動画データで構成されており、
前記表示部にデザインを表示することを特徴とする請求項９乃至請求項１５のいずれか１つに記載の外観可変装置。
【請求項１９】
前記電子ペーパーを含む複数の電子ペーパーが備えられており、
前記複数の電子ペーパーの表示部に表示されるそれぞれのデザインが、統一されていることを特徴とする請求項９乃至請求項１８のいずれか１つに記載の外観可変装置。
【請求項２０】
前記電子ペーパーを含む複数の電子ペーパーが備えられており、
前記複数の電子ペーパーの表示部に表示されるそれぞれのデザインを全体で視認した場合に、１つのデザインを表示することを特徴とする請求項９乃至請求項１８のいずれか１つに記載の外観可変装置。
【請求項２１】
前記電子ペーパーの駆動電源が、太陽電池であることを特徴とする請求項９乃至請求項２０のいずれか１つに記載の外観可変装置。
【請求項２２】
請求項８に記載の構造体および電子ペーパーと、
前記電子ペーパーの表示部に表示するデータを記憶するデザイン記憶手段と、
前記デザイン記憶手段により記憶されたデータを変換し前記表示部に前記デザインを表示するための電圧を前記電子ペーパーに印可する電圧印可手段の動作を制御する制御手段と、
を備えていることを特徴とする外観可変構造体。
【請求項２３】
請求項１乃至前記請求項７のいずれか１つに記載の構造体および電子ペーパーと、
前記電子ペーパーの表示部に表示するデータを記憶するデザイン記憶手段と、
前記デザイン記憶手段により記憶されたデータを変換し前記表示部に前記デザインを表示するための電圧を前記電子ペーパーに印可する電圧印可手段の動作を制御する制御手段と、
を備えていることを特徴とする外観可変構造体。
【請求項２４】
請求項２３に記載の記載の外観可変構造体において、さらに前記電子ペーパーを保護する保護部材が、前記電子ペーパーを覆うように、前記構造体に付設自在に構成されていることを特徴とする外観可変構造体。
【請求項２５】
構造体と、
前記構造体の外観部を構成し、表示側基板側にデザインを表示する表示部を有する電子ペーパーと、
前記電子ペーパーを保護し、構造体の外観面に付設される保護部材と、
を有しており、
前記電子ペーパーの表示側基板が、前記保護部材の構造体側の面と前記構造側の反対側の面の両面のうち、前記構造体側の面に付設されており、
前記電子ペーパーのそれぞれの表示部に表示するデザインをデータとして記憶するデータ記憶手段と、
前記データ記憶手段により記憶されたデータを変換し前記表示部に前記デザインを表示するための電圧を前記電子ペーパーに印可する電圧印可手段の動作を制御する制御手段と、
を備えていることを特徴とする外観可変構造体。
【請求項２６】
構造体と、
前記構造体の外観部を構成し、表示側基板側にデザインを表示する表示部を有する電子ペーパーと、
前記電子ペーパーを保護し、構造体の外観面に付設される保護部材と、
を有しており、
前記電子ペーパーが、前記保護部材と前記構造体との間に挟まれており、
前記電子ペーパーのそれぞれの表示部に表示するデザインをデータとして記憶するデータ記憶手段と、
前記データ記憶手段により記憶されたデータを変換し前記表示部に前記デザインを表示するための電圧を前記電子ペーパーに印可する電圧印可手段の動作を制御する制御手段と、
を備えていることを特徴とする外観可変構造体。
【請求項２７】
前記構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかであることを特徴とする請求項２２乃至請求項２６のいずれか１つに記載の外観可変構造体。
【請求項２８】
前記構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかの外観を構成する部品であることを特徴とする請求項２２乃至請求項２６のいずれか１つに記載の外観可変構造体。
【請求項２９】
前記デザイン記憶手段に記憶されるデータが、複数記憶されており、
前記複数のデータから所定のデータを選択して前記表示部に表示するデータ選択表示手段を備えていることを特徴とする請求項２２乃至請求項２８のいずれか１つに記載の外観可変構造体。
【請求項３０】
前記デザイン記憶手段に記憶されるデータが、複数記憶されており、
前記制御装置が、時間の経過に合わせて、前記複数のデータのなかから所定のデータを順次選択し、
前記データに対応するデザインを前記表示部に表示することを特徴とする請求項２２乃至請求項２８のいずれか１つに記載の外観可変構造体。
【請求項３１】
前記データの一部および全部のいずれかが、動画データで構成されており、
前記表示部にデザインを表示することを特徴とする請求項２２乃至請求項２８のいずれか１つに記載の外観可変構造体。
【請求項３２】
前記電子ペーパーを含む複数の電子ペーパーが備えられており、
前記複数の電子ペーパーの表示部に表示されるそれぞれのデザインが、統一されていることを特徴とする請求項２２乃至請求項３１のいずれか１つに記載の外観可変構造体。
【請求項３３】
前記電子ペーパーを含む複数の電子ペーパーが備えられており、
前記複数の電子ペーパーの表示部に表示されるそれぞれのデザインを全体で視認した場合に、１つのデザインを表示することを特徴とする請求項２２乃至請求項３１のいずれか１つに記載の外観可変構造体。
【請求項３４】
前記電子ペーパーの駆動電源が、太陽電池であることを特徴とする請求項２２乃至請求項３３のいずれか１つに記載の外観可変構造体。
【発明の詳細な説明】
【技術分野】
【０００１】
本発明は、３次元曲面、あるいは、許容屈曲半径以下の曲面に沿って付設することができる電子ペーパー、外観可変装置、外観可変構造体に関するもので、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットに用いて好適である。
【背景技術】
【０００２】
以下、説明するにあたり、電子ペーパーを付設する前の、構造体の外観表面を外観面と称するものとし、前記外観面に電子ペーパーを付設した後の電子ペーパーの外観表面を外観部と称するものとする。上記外観部は、電子ペーパーを付設した後に、構造体の新たな外観表面を構成する。
【０００３】
また、本発明の三次元曲面とは、平面を変形させることによって成立させることの出来ない曲面を言うものとする。ただし、平面を変形させることによって成立させることの出来ない曲面であっても、平面に極めて近い曲面の場合、従来の電子ペーパーでも付設できなくはない。この場合の平面に極めて近い曲面は、本発明の三次元曲面に含まれないものとする。
【０００４】
また、本発明の小半径曲面とは、平面を変形させることによって成立させることができる曲面のうち、出願時点での電子ペーパーの許容曲げ半径より、さらに曲げ半径の小さい曲面を言うものとする。因みに、平面を変形させることによって成立させることができる曲面を例示すると、円筒曲面、円錐曲面が挙げられる。なお、出願時点での電子ペーパーの許容曲げ半径を含み上記許容曲げ半径より大きい曲面を従来の曲面と言うものとする。
【０００５】
なお、曲面は、解析学では、平面を含む概念であるが、本発明では、平面を含まない概念とし、平面と区別するものとする。下記非特許文献１によれば、曲面の定義は、ｕｖ平面内のある領域Dを動く２個のパラメーターｕ、ｖがあって、ｕ、ｖの三つの連続関数ｘ（ｕ、ｖ）、ｙ（ｕ、ｖ）、ｚ（ｕ、ｖ）によって、三次元空間Ｒ３の動点Pの座標 （ｘ、ｙ、ｚ）が、 
ｘ＝ｘ（ｕ、ｖ）、ｙ＝ｙ（ｕ、ｖ）、ｚ＝ｚ（ｕ、ｖ）
と与えられている場合における点Ｐの軌跡Ｓである。
【０００６】
従来より、電子粉流体を用いた情報表示用パネルは、平面状に形成されており、所定の平面領域または上述した従来の曲面に付設される。（例えば特許文献１）
【先行技術文献】
【特許文献】
【０００７】
【特許文献１】特開２００９−１４５４３３号公報
【非特許文献１】新数学事典、大阪書籍、１９８６年
【発明の概要】
【発明が解決しようとする課題】
【０００８】
しかし、特許文献１の情報表示用パネルは、上述した本発明の三次元曲面、小半径曲面には、付設することができない。また、特許文献１の情報表示用パネルは、構造体に複数枚付設して構造体の複数の表示部に統一されたデザインを表示することができる可変装置、観可変構造体を提供することができなかった。また、特許文献１の情報表示用パネルは、構造体に複数枚付設して複数の表示部を全体で視認した場合に、１つのデザインを表示することができるを提供することができなかった。さらに、特許文献１の情報表示用パネルは、最も視認側に近い表示側基板、表示部に外力が加わると、損傷することがあった。
【０００９】
本発明は、上記問題点に鑑み、三次元曲面および小半径曲面のいずれかを含む所定の外観面に付設して、表示部にデザインを表示できる電子ペーパー、外観可変装置、外観可変構造体のいずれかを提供することを第１の目的とする。
【００１０】
また、本発明は、上記問題点に鑑み、三次元曲面および小半径曲面のいずれかを含む所定の外観面に付設して、複数の表示部にデザインを表示できる外観可変装置、外観可変構造体において、構造体の複数の表示部に統一されたデザインを表示することができる可変装置、観可変構造体を提供する外観可変装置、外観可変構造体のいずれかを提供することを第２の目的とする。
【００１１】
また、本発明は、上記問題点に鑑み、三次元曲面および小半径曲面のいずれかを含む所定の外観面に付設して、複数の表示部にデザインを表示できる外観可変装置、外観可変構造体において、複数の表示部を全体で視認した場合に、１つのデザインを表示することができる外観可変装置、外観可変構造体のいずれかを提供することを第３の目的とする。
【００１２】
また、本発明は、上記問題点に鑑み、電子ペーパーおよび表示部のいずれかを保護する電子ペーパー、外観可変装置、外観可変構造体のいずれかを提供することを第４の目的とする。
【課題を解決するための手段】
【００１３】
下記請求項１乃至請求項８に記載の発明に関する手段は、電子ペーパーに関するものである。請求項９乃至請求項２１に記載の発明に関する手段は、外観可変装置に関するものである。請求項２２乃至請求項３４に記載の発明に関する手段は、外観可変構造体に関するものである。
【００１４】
本発明は、上記目的を達成するために、請求項１に記載の発明では、
構造体に付設する付設面が予め三次元曲面および小半径曲面のいずれかを含む構造体の外観面に合わさるように成型された背面側基板と、
背面側基板の付設面の反対側に順次積層されるように成型された１枚以上の表示側基板と、
を備えており、
背面側基板および１枚以上の表示側基板が組み立てられたディスプレイ用基板が、付設面の反対側の面に所定のデザインを表示する表示部を有して構造体の外観部となるように構成されていることを特徴とする。
【００１５】
これによれば、三次元曲面および小半径曲面のいずれかを含む構造体の外観面であっても、ディスプレイ用基板を付設することができる。上記ディスプレイ用基板は、付設面の反対側の面に所定のデザインを表示する表示部を有して構造体の外観部となるように構成されているので、三次元曲面および小半径曲面のいずれかを含む所定の外観面に付設して、表示部にデザインを表示できる電子ペーパーを提供することができる。
【００１６】
請求項２に記載の発明では、熱可塑性を有し、複数枚の基板が積層され構造体に付設する付設面を備えた平面状のディスプレイ用基板の付設面が、三次元曲面および小半径曲面のいずれかを含む構造体の外観面に合わさるように曲面成型され、
曲面成型されたディスプレイ用基板が、付設面の反対側の面に所定のデザインを表示する表示部を有して構造体の外観部となるように構成されていることを特徴とする。
【００１７】
これによれば、平面状のディスプレイ用基板が曲面成型されて、三次元曲面および小半径曲面のいずれかを含む所定の外観面に合わさるようにできる。その結果、三次元曲面および小半径曲面のいずれかを含む所定の外観面に付設して、表示部にデザインを表示できる電子ペーパーを提供することができる。
【００１８】
また、上記ディスプレイ用基板は、平面状のディスプレイ用基板を曲面成型したものであるので、請求項１のように、予め背面側基板を成型し、１枚以上の表示側基板を順次積層されるように成型した場合に比べ、製造行程を簡略化することができ、低コストな電子ペーパーを提供することができる。
【００１９】
請求項３に記載の発明のように、請求項１または求項２において、電子ペーパー１枚につき、複数の表示部が設けられていてもよい。
【００２０】
請求項４に記載の発明では、請求項１乃至請求項３のいずれか１つにおいて、電子ペーパーが、２枚の基板間に表示媒体を封入し、２枚の基板のそれぞれに設けたパターン電極から表示媒体に電界を付与することによって、表示媒体を移動させてデザインを表示することを特徴とする。
【００２１】
これによれば、応答性がよく、視認性に優れた電子ペーパーを提供することができる。
【００２２】
請求項５に記載の発明のように、請求項１乃至請求項３のいずれか１つにおいて、電子ペーパーが、電気泳動方式、フレキシブル基板用ＴＦＴ方式、フレキシブル有機ＥＬ方式、液晶方式、ツイストボール方式、粉体移動方式のいずれかで構成されていてもよい。
【００２３】
請求項６に記載の発明では、請求項１乃至請求項５のいずれか１つにおいて、構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかであることを特徴とする。
【００２４】
これによれば、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、洗面台、容器、食器、缶、ペットボトル、室内の壁、天井、戸、扉、ドア、机、玩具、筆記用具、カバン、靴、箱、タンス、鏡台、クローゼットのいずれかの外観部を容易に切り替える電子ペーパーを提供することができる。
【００２５】
請求項７に記載の発明では、請求項１乃至請求項５のいずれか１つにおいて、構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかの外観面を構成する部品であることを特徴とする。
【００２６】
これによれば、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、洗面台、容器、食器、缶、ペットボトル、室内の壁、天井、戸、扉、ドア、机、玩具、筆記用具、カバン、靴、箱、タンス、鏡台、クローゼットのいずれかの外観を構成する部品の外観部を容易に切り替える電子ペーパーを提供することができる。
【００２７】
請求項８に記載の発明では、請求項１乃至請求項７のいずれか１つにおいて、ディスプレイ用基板のうち、最も視認側に近い基板が、表示部を保護する保護部材で構成されており、
保護部材が構造体に付設自在に構成されていることを特徴とする。
【００２８】
これによれば、最も視認側に近い基板が、表示部を保護することができる電子ペーパーを提供することができる。
【００２９】
請求項９に記載の発明では、請求項８に記載の電子ペーパーと、
電子ペーパーの表示部に表示するデータを記憶するデザイン記憶手段と、
デザイン記憶手段により記憶されたデータを変換し表示部にデザインを表示するための電圧を電子ペーパーに印可する電圧印可手段の動作を制御する制御手段と、
を備えていることを特徴とする。
【００３０】
これによれば、最も視認側に近い基板が、表示部を保護することができる電子ペーパーにおいて、制御手段が、デザイン記憶手段に記憶されたデータを変換し、表示部にデザインを表示するように、電圧印可手段の動作を制御することで、表示部にデザインを表示することができる。上記電子ペーパーは、付設面の反対側の面に所定のデザインを表示する表示部を有して構造体の外観部となるように構成されているので、三次元曲面および小半径曲面のいずれかを含む所定の外観面に付設して、表示部にデザインを表示できる電子ペーパーを提供することができる。
【００３１】
請求項１０に記載の発明では、請求項１乃至請求項７のいずれか１つに記載の電子ペーパーと、
電子ペーパーの表示部に表示するデータを記憶するデザイン記憶手段と、
デザイン記憶手段により記憶されたデータを変換し表示部にデザインを表示するための電圧を電子ペーパーに印可する電圧印可手段の動作を制御する制御手段と、
を備えていることを特徴とする。
【００３２】
これによれば、制御手段が、デザイン記憶手段に記憶されたデータを変換し、表示部にデザインを表示するように、電圧印可手段の動作を制御することで、表示部にデザインを表示することができる。上記電子ペーパーは、付設面の反対側の面に所定のデザインを表示する表示部を有して構造体の外観部となるように構成されているので、三次元曲面および小半径曲面のいずれかを含む所定の外観面に付設して、表示部にデザインを表示できる電子ペーパーを提供することができる。
【００３３】
請求項１１に記載の発明では、請求項１０に記載の記載の外観可変装置において、さらに電子ペーパーを保護する保護部材が、電子ペーパーを覆うように、構造体に付設自在に構成されていることを特徴とする。
【００３４】
これによれば、請求項１０に記載の記載の外観可変装置において、最も視認側に近い基板が、表示部を保護することができる電子ペーパーを提供することができる。
【００３５】
請求項１２に記載の発明では、表示側基板側にデザインを表示する表示部を有し、構造体の外観部を構成する電子ペーパーと、
電子ペーパーを保護し、構造体の外観面に付設される保護部材と、
を有しており、
電子ペーパーの表示側基板が、保護部材の構造体側の面と構造側の反対側の面の両面のうち、構造体側の面に付設されており、
電子ペーパーのそれぞれの表示部に表示するデザインをデータとして記憶するデータ記憶手段と、
データ記憶手段により記憶されたデータを変換し表示部にデザインを表示するための電圧を電子ペーパーに印可する電圧印可手段の動作を制御する制御手段と、
を備えていることを特徴とする。
【００３６】
これによれば、保護部材によりディスプレイ用基板を保護することができる電子ペーパーを提供することができる。
【００３７】
請求項１３に記載の発明では、表示側基板側にデザインを表示する表示部を有し、構造体の外観部を構成する電子ペーパーと、
電子ペーパーを保護し、構造体の外観面に付設される保護部材と、
を有しており、
電子ペーパーが、保護部材と構造体との間に挟まれており、
電子ペーパーのそれぞれの表示部に表示するデザインをデータとして記憶するデータ記憶手段と、
データ記憶手段により記憶されたデータを変換し表示部にデザインを表示するための電圧を電子ペーパーに印可する電圧印可手段の動作を制御する制御手段と、
を備えていることを特徴とする。
【００３８】
これによれば、保護部材によりディスプレイ用基板を保護することができる電子ペーパーを提供することができる。
【００３９】
請求項１４に記載の発明では、請求項９乃至請求項１３のいずれか１つにおいて、構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかであることを特徴とする記載の外観可変装置。
【００４０】
これによれば、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、洗面台、容器、食器、缶、ペットボトル、室内の壁、天井、戸、扉、ドア、机、玩具、筆記用具、カバン、靴、箱、タンス、鏡台、クローゼットのいずれかの外観部を容易に切り替える外観可変装置を提供することができる。
【００４１】
請求項１５に記載の発明では、請求項９乃至請求項１３のいずれか１つにおいて、構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかの外観面を構成する部品であることを特徴とする。
【００４２】
これによれば、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、洗面台、容器、食器、缶、ペットボトル、室内の壁、天井、戸、扉、ドア、机、玩具、筆記用具、カバン、靴、箱、タンス、鏡台、クローゼットのいずれかの外観を構成する部品の外観部を容易に切り替える外観可変装置を提供することができる。
【００４３】
請求項１６に記載の発明では、請求項９乃至請求項１５のいずれか１つにおいて、デザイン記憶手段に記憶されるデータが、複数記憶されており、
複数のデータから所定のデータを選択して表示部に表示するデータ選択表示手段を備えていることを特徴とする。
【００４４】
これによれば、制御装置が、デザイン記憶手段に記憶された複数のデータを選択、変換し、表示部にデザインを表示するように、電圧印可手段の動作を制御することで、表示部にデザインを表示することができる。上記表示部は、構造体の外観面に付設することができ、構造体の外観面に付設する付設面と反対側の面にデザインを表示する表示部が設けられているので、構造体の外観部のデザインを切り替えて表示することができる。
【００４５】
その結果、構造体の外観部のデザインを切り替えて表示する外観可変装置を提供することができる。
【００４６】
請求項１７に記載の発明では、請求項９乃至請求項１５のいずれか１つにおいて、デザイン記憶手段に記憶されるデータが、複数記憶されており、
制御装置が、時間の経過に合わせて、複数のデータのなかから所定のデータを順次選択し、
データに対応するデザインを表示部に表示することを特徴とする。
【００４７】
これによれば、表示部に、時間の経過に合わせて、デザインを表示することができる。上記表示部は、構造体の外観面に付設することができ、構造体の外観面に付設される付設面と反対側の面にデザインを表示する表示部が設けられているので、時間の経過に合わせて、デザインを切り替えて表示することができる。
【００４８】
請求項１８に記載の発明のように、請求項９乃至請求項１５のいずれか１つにおいて、データの一部および全部のいずれかが、動画データで構成されており、
表示部にデザインを表示してもよい。
【００４９】
請求項１９に記載の発明では、請求項９乃至請求項１８のいずれか１つにおいて、電子ペーパーを含む複数の電子ペーパーが備えられており、
複数の電子ペーパーの表示部に表示されるそれぞれのデザインが、統一されていることを特徴とする。
【００５０】
これによれば、少なくとも２つの電子ペーパーの表示部を用いて構造体のデザインを表示することができる。また、少なくとも２つの電子ペーパーの表示部を用いて、統一されたデザインを表示することができる外観可変装置を提供することができる。
【００５１】
請求項２０に記載の発明では、請求項９乃至請求項１８のいずれか１つにおいて、電子ペーパーを含む複数の電子ペーパーが備えられており、
複数の電子ペーパーの表示部に表示されるそれぞれのデザインを全体で視認した場合に、１つのデザインを表示することを特徴とする。
【００５２】
これによれば、少なくとも２つの電子ペーパーの表示部を用いて構造体のデザインを表示することができる。また、少なくとも２つの電子ペーパーの表示部を用いて、それぞれのデザインを全体で視認した場合に、１つのデザイン統一されたデザインを表示することができる外観可変装置を提供することができる。
【００５３】
請求項２１に記載の発明では、請求項９乃至請求項２０のいずれか１つにおいて、電子ペーパーの駆動電源が、太陽電池であることを特徴とする。
【００５４】
これによれば、太陽電池により電子ペーパーを駆動することができる。
【００５５】
請求項２２に記載の発明では、請求項８に記載の構造体および電子ペーパーと、
電子ペーパーの表示部に表示するデータを記憶するデザイン記憶手段と、
デザイン記憶手段により記憶されたデータを変換し表示部にデザインを表示するための電圧を電子ペーパーに印可する電圧印可手段の動作を制御する制御手段と、
を備えていることを特徴とする。
【００５６】
これによれば、最も視認側に近い基板が、表示部を保護することができる電子ペーパーにおいて、制御手段が、デザイン記憶手段に記憶されたデータを変換し、表示部にデザインを表示するように、電圧印可手段の動作を制御することで、表示部にデザインを表示することができる。上記電子ペーパーは、付設面の反対側の面に所定のデザインを表示する表示部を有して構造体の外観部となるように構成されているので、三次元曲面および小半径曲面のいずれかを含む所定の外観面に付設して、表示部にデザインを表示できる外観可変構造体を提供することができる。
【００５７】
請求項２３に記載の発明では、請求項１乃至請求項７のいずれか１つに記載の構造体および電子ペーパーと、
電子ペーパーの表示部に表示するデータを記憶するデザイン記憶手段と、
デザイン記憶手段により記憶されたデータを変換し表示部にデザインを表示するための電圧を電子ペーパーに印可する電圧印可手段の動作を制御する制御手段と、
を備えていることを特徴とする。
【００５８】
これによれば、制御手段が、デザイン記憶手段に記憶されたデータを変換し、表示部にデザインを表示するように、電圧印可手段の動作を制御することで、表示部にデザインを表示することができる。上記電子ペーパーは、付設面の反対側の面に所定のデザインを表示する表示部を有して構造体の外観部となるように構成されているので、三次元曲面および小半径曲面のいずれかを含む所定の外観面に付設して、表示部にデザインを表示できる外観可変構造体を提供することができる。
【００５９】
請求項２４に記載の発明では、請求項２３に記載の記載の外観可変構造体において、さらに電子ペーパーを保護する保護部材が、電子ペーパーを覆うように、構造体に付設自在に構成されていることを特徴とする。
【００６０】
これによれば、請求項２３に記載の記載の外観可変装置において、最も視認側に近い基板が、表示部を保護することができる電子ペーパーを提供することができる。
【００６１】
請求項２５に記載の発明では、構造体と、
構造体の外観部を構成し、表示側基板側にデザインを表示する表示部を有する電子ペーパーと、
電子ペーパーを保護し、構造体の外観面に付設される保護部材と、
を有しており、
電子ペーパーの表示側基板が、保護部材の構造体側の面と構造側の反対側の面の両面のうち、構造体側の面に付設されており、
電子ペーパーのそれぞれの表示部に表示するデザインをデータとして記憶するデータ記憶手段と、
データ記憶手段により記憶されたデータを変換し表示部にデザインを表示するための電圧を電子ペーパーに印可する電圧印可手段の動作を制御する制御手段と、
を備えていることを特徴とする。
【００６２】
これによれば、保護部材によりディスプレイ用基板を保護することができる外観可変構造体を提供することができる。
【００６３】
請求項２６に記載の発明では、構造体と、
構造体の外観部を構成し、表示側基板側にデザインを表示する表示部を有する電子ペーパーと、
電子ペーパーを保護し、構造体の外観面に付設される保護部材と、
を有しており、
電子ペーパーが、保護部材と構造体との間に挟まれており、
電子ペーパーのそれぞれの表示部に表示するデザインをデータとして記憶するデータ記憶手段と、
データ記憶手段により記憶されたデータを変換し表示部にデザインを表示するための電圧を電子ペーパーに印可する電圧印可手段の動作を制御する制御手段と、
を備えていることを特徴とする。
【００６４】
これによれば、保護部材によりディスプレイ用基板を保護することができる外観可変構造体を提供することができる。
【００６５】
請求項２７に記載の発明では、請求項２２乃至請求項２６のいずれか１つにおいて、構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかであることを特徴とする。
【００６６】
これによれば、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、洗面台、容器、食器、缶、ペットボトル、室内の壁、天井、戸、扉、ドア、机、玩具、筆記用具、カバン、靴、箱のいずれかの外観部に表示されるデザインを容易に切り替える外観可変構造体を提供することができる。
【００６７】
請求項２８に記載の発明では、請求項２２乃至請求項２６のいずれか１つにおいて、構造体が、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかの外観を構成する部品であることを特徴とする。
【００６８】
これによれば、自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、洗面台、容器、食器、缶、ペットボトル、室内の壁、天井、戸、扉、ドア、机、玩具、筆記用具、カバン、靴、箱、タンス、鏡台、クローゼットのいずれかの外観を構成する部品の外観部に表示されるデザインを容易に切り替える外観可変構造体を提供することができる。
【００６９】
請求項２９に記載の発明では、請求項２２乃至請求項２８のいずれか１つにおいて、デザイン記憶手段に記憶されるデータが、複数記憶されており、
複数のデータから所定のデータを選択して表示部に表示するデータ選択表示手段を備えていることを特徴とする。
【００７０】
これによれば、制御装置が、デザイン記憶手段に記憶された複数のデータを選択、変換し、表示部にデザインを表示するように、電圧印可手段の動作を制御することで、上記表示部にデザインを表示することができる。上記表示部は、構造体の外観面に付設される付設面と反対側の面にデザインを表示する表示部が設けられているので、デザインを切り替えて表示することができる。
【００７１】
請求項３０に記載の発明では、請求項２２乃至請求項２８のいずれか１つにおいて、デザイン記憶手段に記憶されるデータが、複数記憶されており、
制御装置が、時間の経過に合わせて、複数のデータのなかから所定のデータを順次選択し、
データに対応するデザインを表示部に表示することを特徴とする。
【００７２】
これによれば、制御装置が、時間の経過に合わせて、デザイン記憶手段に記憶された複数のデータを選択、変換し、表示部にデザインを表示するように、電圧印可手段の動作を制御することで、上記表示部に、時間の経過に合わせて、デザインを表示することができる。上記表示部は、構造体の外観面にそれぞれ付設される付設面と反対側の面にデザインを表示する表示部が設けられているので、時間の経過に合わせて、デザインを切り替えて表示することができる。
【００７３】
請求項３１に記載の発明のように、請求項２２乃至請求項２８のいずれか１つにおいて、データの一部および全部のいずれかが、動画データで構成されており、
表示部にデザインを表示してもよい。
【００７４】
請求項３２に記載の発明では、請求項２２乃至請求項３１のいずれか１つにおいて、
前記電子ペーパーを含む複数の電子ペーパーが備えられており、
複数の電子ペーパーの表示部に表示されるそれぞれのデザインが、統一されていることを特徴とする。
【００７５】
これによれば、少なくとも２つの電子ペーパーの表示部を用いて構造体のデザインを表示することができる。また、少なくとも２つの電子ペーパーの表示部を用いて、統一されたデザインを表示することができる外観可変構造体を提供することができる。
【００７６】
請求項３３に記載の発明では、請求項２２乃至請求項３１のいずれか１つにおいて、電子ペーパーを含む複数の電子ペーパーが備えられており、
複数の電子ペーパーの表示部に表示されるそれぞれのデザインを全体で視認した場合に、１つのデザインを表示することを特徴とする。
【００７７】
これによれば、少なくとも２つの電子ペーパーの表示部を用いて構造体のデザインを表示することができる。また、少なくとも２つの電子ペーパーの表示部を用いて、それぞれのデザインを全体で視認した場合に、１つのデザイン統一されたデザインを表示することができる外観可変構造体を提供することができる。
【００７８】
請求項３４に記載の発明では、請求項２２乃至請求項３３のいずれか１つにおいて、電子ペーパーの駆動電源が、太陽電池であることを特徴とする。
【００７９】
これによれば、太陽電池により電子ペーパーを駆動する外観可変構造体を提供することができる。
【図面の簡単な説明】
【００８０】
【図１】本発明の第１実施形態による自動車に電子ペーパーを付設した後の外観図である。
【図２】本発明の第１実施形態による電子ペーパーの第１の説明図である。
【図３】本発明の第１実施形態による電子ペーパーの第２の説明図である。
【図４】本発明の第１実施形態によるシステム構成図である。
【図５】図１に示す複数の電子ペーパーのそれぞれに、デザインを表示させた自動車の外観図である。
【図６】図１に示す複数の電子ペーパーのそれぞれに、統一されたデザインを表示させた自動車の外観図である。
【図７】本発明の第１実施形態による自動車に電子ペーパーを付設し、電子ペーパーを全体で視認した場合に、１つのデザインとなる場合の自動車の外観図である。
【図８】本発明の第１実施形態による製造工程の概略フローチャートである。
【図９】本発明の第２実施形態による電子ペーパーの説明図である。
【図１０】本発明の第３実施形態による電子ペーパーの説明図である。
【図１１】本発明の第６実施形態による電子ペーパーの説明図である。
【図１２】本発明の第７実施形態による電子ペーパーの説明図である。
【図１３】本発明の第８実施形態による電子ペーパーの説明図である。
【図１４】本発明の第９実施形態による電子ペーパーの説明図である。
【発明を実施するための形態】
【００８１】
（第１実施形態）
最初に、本発明で用いる用語について説明する。本発明において、「ディスプレイを付設する」とは、「ディスプレイを接着する」、「ディスプレイを圧着する」、「ディスプレイを嵌める」、「ディスプレイを固定する」、「ディスプレイをねじ止めする」、「ディスプレイを一体成形する」のいずれかを意味する。付設する方法は、構造体の種類、形状等により、適宜選択される。
【００８２】
また、本発明のデザインとは、電子ペーパーに映し出される静止画および動画（動デザイン）で、模様、柄、図柄、図形、文字、写真、絵（アニメーションの絵を含む）、意匠を言い、ホログラムで３次元的に見えるものを含む概念である。
【００８３】
以下、構造体が自動車である場合について説明する。図１は、電子ペーパーを付設した自動車の外観図である。構造体の一例である自動車１１は、図１に示すように、一体型フロントバンパー１３、フロントフェンダー１５、前側ドア１７、後側ドア１９、リアフェンダー２１、ボンネット２３、Ａピラー２５、Ｃピラー２７、ルーフ２９等が設けられて、外観部を構成している。上記一体型フロントバンパー１３、フロントフェンダー１５、前側ドア１７、後側ドア１９、リアフェンダー２１、ボンネット２３、Ａピラー２５、Ｃピラー２７、ルーフ２９は、複雑な３次元曲面に形成されており、それぞれ電子ペーパー３１、３３、３５、３７、３９、４１、４３、４５、４７が上記３次元曲面に合わさるように成形され、付設されている。
【００８４】
ここで、上記電子ペーパー３１、３３、３５、３７、３９、４１、４３、４５、４７のうち、電子ペーパー３１について説明する。電子ペーパー３３、３５、３７、３９、４１、４３、４５、４７は、形状が異なるが、電子ペーパー３１と同様に構成されている。電子ペーパー３１は、図２に示すように、透明電極を設けた２枚の基板（背面側基板３１ａ、表示側基板３１ｂ）間に表示媒体（白色表示媒体５５、黒色表示媒体５７）を封入し、この表示媒体に電界を付与することで、デザインの表示を行うものである。
【００８５】
上記背面側基板３１ａのうち、一体型フロントバンパー１３に付設する付設面３１ｃには、図示しない接着材が塗布されており、電子ペーパー３１が、一体型フロントバンパー１３に付設されている。また、上記付設面３１ｃと反対側の封入面３１ｄには、隔壁３１ｅが形成されている。上記背面側基板３１ａは、透明度の高い材料が好ましいが、不透明であってもよい。背面側基板３１ａに用いる材料を例示すると、ポリカーボネイト（ＰＣ）、ポリエチレンテレフタレート（ＰＥＴ）、ポリイミド（ＰＩ）、繊維強化プラスチック（ＦＲＰ）などの重合体、所定の可撓性を有する金属等が挙げられる。
【００８６】
隔壁３１ｅは、背面側基板３１ａの封入面３１ｄの上方から見て、六角状、四角状、円状等に形成されている。上記隔壁３１ｅは、格子状に配置されてもよく、千鳥状に配置されてもよい。隔壁３１ｅおよび表示側基板３１ｂによりセル３１ｆが形成される。
【００８７】
表示側基板３１ｂは、背面側基板３１ａに合わさるように成形され、貼り合わされている。なお、以下の説明では、表示側基板３１ｂの両曲面のうち、背面側基板３１ａ側の面を封入面３１ｇと称し、封入面３１ｇと反対の面を表示面３１ｈと称するものとする。表示側基板３１ｂは、透明度の高い材料が好ましい。表示側基板３１ｂに用いる材料を例示すると、ポリカーボネイト（ＰＣ）、ポリエチレンテレフタレート（ＰＥＴ）、ポリイミド（ＰＩ）などの重合体が上げられる。
【００８８】
上述した背面側基板３１ａのうち、セル３１ｆの封入面３１ｄには、導電性を有するＩＴＯ（酸化インジウム錫）透明電極４９が設けられている。上記ＩＴＯ透明電極４９は、背面側基板３１ａの付設面３１ｃ側に設けてもよい。また、表示側基板３１ｂの封入面３１ｇには、ＩＴＯ透明電極５１が設けられている。上記ＩＴＯ透明電極５１は、表示側基板３１ｂの表示面３１ｈに設けてもよい。なお、ＩＴＯ透明電極４９、ＩＴＯ透明電極５１は、ライン電極でもよく、セル３１ｆ毎の個別電極としてもよい。
【００８９】
次に、表示媒体５３について説明する。表示媒体５３は、電子粉流体で構成されており、白色表示媒体用粒子５５ａの粒子群からなる白色表示媒体５５、黒色表示媒体用粒子５７ａからなる黒色表示媒体５７が、セル３１ｆのそれぞれに封入されている。上記白色表示媒体用粒子５５ａはマイナスの帯電特性を有しており、上記黒色表示媒体用粒子５７ａはプラスの帯電特性を有している。そして、各セル３１ｆにおいて、背面側基板３１ａに設けたＩＴＯ透明電極４９と、表示側基板３１ｂに設けたＩＴＯ透明電極５１との間に電圧を印加することにより、発生する電界に応じて、白色表示媒体用粒子５５ａ、黒色表示媒体用粒子５７ａを移動させ、視認者にデザインを視認させる。
【００９０】
表示側基板３１ｂに設けられたＩＴＯ透明電極５１の電圧を背面側基板３１ａに設けられたＩＴＯ透明電極４９より高くすると、図２に示すように、マイナスの帯電特性を有する白色表示媒体用粒子５５ａが表示側基板３１ｂ側に移動し、プラスの帯電特性を有する黒色表示媒体用粒子５７ａが背面側基板３１ａ側に移動することで、電子ペーパー３１は白く見える。また、表示側基板３１ｂに設けられたＩＴＯ透明電極５１の電圧を背面側基板３１ａに設けられたＩＴＯ透明電極４９より低くすると、図３に示すように、プラスの帯電特性を有する黒色表示媒体用粒子５７ａが表示側基板３１ｂ側に移動し、マイナスの帯電特性を有する白色表示媒体用粒子５５ａが背面側基板３１ａ側に移動することで、電子ペーパー３１は黒く見える。セル３１ｆのそれぞれに印可する電圧を制御することにより、文字、デザイン等の表示を行うことができる。なお、ＩＴＯ透明電極４９、ＩＴＯ透明電極５１に印可される電圧は、隔壁３１ｅの高さ、表示媒体５３の種類、製造過程、セル３１ｆへの充填率等により適宜選択される。
【００９１】
次に、上述した電子ペーパー３１、３３、３５、３７、３９、４１、４３、４５、４７の駆動制御部５９について、図４を用いて説明する。駆動制御部５９は、電圧印可手段６１、制御手段６３、デザイン記憶手段６５、データ選択表示手段６７を備えている。
【００９２】
電圧印可手段６１は、ＩＴＯ透明電極４９、ＩＴＯ透明電極５１に駆動パルスを印加するものであり、印加パルスを生成するパルス生成手段を備えて、印加パルスを出力することができる。印加パルスを発生させるには、図示はしないが、パルス発生回路のような電気回路的な方式の他に、例えば、ＲＯＭのような波形記憶手段とＤ/Ａ変換手段と制御手段とを有し、電圧印加時にＲＯＭから読み出した波形をＤ/Ａ変換してＩＴＯ透明電極４９、ＩＴＯ透明電極５１に印加する手段であってもよい。上記電圧印可手段６１は、電子ペーパー３１、３３、３５、３７、３９、４１、４３、４５、４７のそれぞれに１つずつ接続されている。
【００９３】
制御手段６３は、デザイン記憶手段６５から送られてくるデータを表示データに変換する手段のほか、電圧印可手段６１の動作を制御するための手段、データ選択表示手段６７から送信される信号を受信して、デザイン記憶手段６５にデータの送信を指示する手段等を備えている。
【００９４】
デザイン記憶手段６５は、電子ペーパー３１、３３、３５、３７、３９、４１、４３、４５、４７のそれぞれに表示するデータ等を記憶するもので、複数のデータを記憶するデザイン記憶手段６５を有している。上記電圧印可手段６１、制御手段６３、デザイン記憶手段６５は、一体に構成されてもよく、別体に構成されてもよい。
【００９５】
操作者の所望するデザインを、電子ペーパー３１、３３、３５、３７、３９、４１、４３、４５、４７のそれぞれに表示させるには、データ選択表示手段６７を用いる。上記データ選択表示手段６７は、例えば、図示しない自動車の操作パネルに操作ボタンを設け、上記操作ボタンにより、操作者の所望するデザインを選択し、選択したデザインに対応する所定の信号を、制御手段６３に送信する。制御手段６３が、所定の信号を受け取ると、上記所定の信号に対応するデータをデザイン記憶手段６５から読み出し、制御手段６３に送信する。送信されたデータは、制御手段６３で表示データに変換され、電子ペーパー３１、３３、３５、３７、３９、４１、４３、４５、４７のそれぞれで所望するデザインを表示するように、電圧印可手段６１からＩＴＯ透明電極４９、ＩＴＯ透明電極５１に駆動パルスを印加する。なお、データ選択表示手段６７は、上述した操作ボタンの他に、液晶タッチパネル上で操作するものであってもよい。
【００９６】
図５、図６に、電子ペーパー３１、３３、３５、３７、３９、４１、４３、４５、４７のそれぞれの表示部に、模様を表示させた場合の自動車１１の外観図を示す。図５は、電子ペーパー３１、３３、３５、３７、３９、４１、４３、４５、４７のそれぞれの表示部に、別々の模様を表示させたものである。このように、構造体（第１実施形態では自動車）の外観面に、電子ペーパーを付設し、デザインを表示させることで構造体のデザインを容易に変更することができる。
【００９７】
ところで、図５のように、それぞれ別のデザインを表示するだけでなく、図６に示すように、統一されたデザインを表示することができる。上記統一されたデザインとは、複数の電子ペーパーに表示される表示部において、デザインが同じもの、色相が同じもの、彩度が同じもの、明度が同じもの、色相が連続的に変化するもの、彩度が連続的に変化するもの、明度が連続的に変化するもの、彩度の変化を表現したもの、明度の変化を表現したもの、色相の変化を表現したもの、人が見てデザインに統一性を感じるものを含む概念である。
【００９８】
さらに、上記概念には、
（１）不規則に配列されているが、２つ以上の表示部のどちらにも、同じ形状の模様、柄、図柄、図形、文字、写真が表見されているもの。
（２）上記（１）項において、模様、柄、図柄、図形、文字、写真の色が異なるもの。
（３）上記（１）項において、模様、柄、図柄、図形、文字、写真の大きさが異なるもの。
（４）不規則に配列されているが、２つ以上の表示部のどちらにも、文字が表現されており、字体の異なるもの。
（５）２つ以上の表示部のどちらも、色相の変化を表現しているが、変化の仕方が異なるもの。
（６）２つ以上の表示部のどちらも、彩度の変化を表現しているが、変化の仕方が異なるもの。
（７）２つ以上の表示部のどちらも、明度の変化を表現しているが、変化の仕方が異なるもの。
（８）２つ以上の表示部のどちらも、写真、アニメーションを含む絵が表現されているが、写真、アニメーションを含む絵の内容が異なるもの。
を含むものとする。なお、上述した２つ以上の表示部の少なくとも１つの限定された領域に、社名、製品名のロゴ、所定の文字、所定の絵等が入っていてもよい。
【００９９】
統一されたデザインを表示するには、最初に、図６に示すデザイン記憶手段６５に、電子ペーパー３１、３３、３５、３７、３９、４１、４３、４５、４７に表示する格子状のデータを記憶させておく。次に、データ選択表示手段６７で、電子ペーパー３１、３３、３５、３７、３９、４１、４３、４５、４７の表示部に表示されるデザインが格子状のデザインとなるものを選択する。次に、選択したデザインに対応する所定の信号を、制御手段６３に送信し、制御手段６３が、所定の信号を受け取ると、上記所定の信号に対応するデータをデザイン記憶手段６５から読み出し、制御手段６３に送信する。送信されたデータは、制御手段６３で表示データに変換し、電子ペーパー３１、３３、３５、３７、３９、４１、４３、４５、４７のそれぞれで格子状のデザインを表示するように、電圧印可手段６１からＩＴＯ透明電極４９、ＩＴＯ透明電極５１に駆動パルスを印加する。このように、構造体の複数の外観面に、電子ペーパーを付設し、統一されたデザインを表示することができる。
【０１００】
また、電子ペーパー３１、３３、３５、３７、３９、４１、４３、４５、４７に表示するデザインは、２つ以上の表示部に表示されるそれぞれのデザインを全体で視認した場合に、１つの統一されたデザインを表示することができる。上記１つの統一されたデザインとは、２つ以上の表示部を全体で見たときに、１つのデザインとなるデザインである。
【０１０１】
図７に、電子ペーパー３５、３７の表示部に、統一されたデザインを表示させた場合の外観図を例示する。図７では、会社名ロゴ６９および会社マーク７１が、電子ペーパー３５、３７に分割されて表示されたものである。
【０１０２】
最初に、図５に示すデザイン記憶手段６５に、電子ペーパー３５、３７に表示する会社名ロゴ６９および会社マーク７１を、電子ペーパー３５、３７の表示部に分割してデータを記憶させておく。次に、データ選択表示手段６７で、電子ペーパー３１、３３、３５、３７、３９、４１、４３、４５、４７の表示部に表示されるデザインが会社名ロゴ６９および会社マーク７１となるものを選択する。次に、選択したデザインに対応する所定の信号を、制御手段６３に送信し、制御手段６３が、所定の信号を受け取ると、上記所定の信号に対応するデータをデザイン記憶手段６５から読み出し、制御手段６３に送信する。送信されたデータは、制御手段６３で表示データに変換し、電子ペーパー３５、３７に会社名ロゴ６９および会社マーク７１を表示するように、電圧印可手段６１からＩＴＯ透明電極４９、ＩＴＯ透明電極５１に駆動パルスを印加する。このように、複数の表示部部を全体で見たときに、統一されたデザインを表示することができる。
【０１０３】
次に、本発明のディスプレイの製造方法について、図２を参照しながら、図８を用いて説明する。Ｓ１０では、平面上に形成された背面側基板３１ａを成形する。図示しない背面側基板用金型により、背面側基板３１ａの付設面３１ｃが、前側ドア１７の外観面に合わさるように成型される。
【０１０４】
Ｓ２０では、背面側基板３１ａの封入面に、ＩＴＯ透明電極４９（ライン電極）を転写する。
【０１０５】
Ｓ３０では、ＩＴＯ透明電極４９（ライン電極）が配設された背面側基板３１ａの封入面に隔壁３１ｅを形成する。隔壁３１ｅを形成する手段としては、金型を用いる方法、金型で転写する方法、スクリーン印刷を用いる方法、サンドブラストを用いる方法、フォトリソグラフィにより製造する方法、光造形により製造する方法が挙げられる。隔壁３１ｅの形成方法は、電子ペーパーの形状等により、適宜選択される。
【０１０６】
Ｓ４０では、平面上に形成された表示側基板３１ｂを成形する。図示しない表示側基板用金型により、表示側基板３１ｂの封入面３１ｇが、隔壁３１ｅの端部に合わさるように成型される。
【０１０７】
Ｓ５０では、背面側基板３１ａの封入面に、ＩＴＯ透明電極５１（ライン電極）を転写する。
【０１０８】
Ｓ６０では、隔壁３１ｅが形成された背面側基板３１ａに、白色表示媒体用粒子５５ａ、黒色表示媒体用粒子５７ａを封入する。
【０１０９】
Ｓ７０では、接着剤を用いて、背面側基板３１ａと、表示側基板３１ｂとを貼り合わせる。
【０１１０】
Ｓ８０では、前側ドア１７の外観面にディスプレイ１１を付設する。
【０１１１】
上記構成によれば、構造体の複数の外観面に電子ペーパーを付設することで、上記電子ペーパーが、新しく構造体の外観表面を構成する。構造体の外観面は、三次元曲面および小半径曲面のいずれかを含んでおり、三次元曲面および小半径曲面のいずれかを含む所定の外観面を有する構造体の外観表面を容易に切り替える外観可変装置、観可変構造体を提供することができる。
【０１１２】
また、三次元曲面および小半径曲面のいずれかを含む所定の外観面に付設して、複数の表示部にデザインを表示できる外観可変装置、外観可変構造体において、構造体の複数の表示部に統一されたデザインを表示することができる可変装置、観可変構造体を提供することができる。また、三次元曲面および小半径曲面のいずれかを含む所定の外観面に付設して、複数の表示部にデザインを表示できる外観可変装置、外観可変構造体において、複数の表示部を全体で視認した場合に、１つのデザインを表示することができる可変装置、観可変構造体を提供することができる。
【０１１３】
（第２の実施形態）
第１実施形態では、電子ペーパーが、白黒表示を行うものであったが、カラー表示を行うものでもよい。
【０１１４】
図９に示す例では、３個のセルで表示単位（１ドット）を構成するカラー表示の例を示している。図９に示すように、セル７３の視認者側に赤色カラーフィルター７９が、セル７５の視認者側に緑色カラーフィルター８１が、セル７７の視認者側に青色カラーフィルター８３が設けられている。セル７３、７５、７７の３個のセルで表示単位（１ドット）を構成する。上記セル７３、７５、７７には、それぞれ白色表示媒体５５、黒色表示媒体５７が充填されている。
【０１１５】
各セル７３、７５、７７のそれぞれに印可する電圧を制御することにより、デザインのカラー表示を行うことができる。なお、ＩＴＯ透明電極４９、ＩＴＯ透明電極５１に印可される電圧は、隔壁３１ｅの高さ、表示媒体５３の種類、製造過程、各セル７３、７５、７７への充填率等により適宜選択される。
【０１１６】
（第３の実施形態）
第２の実施形態は、カラーフィルターを用いてカラー表示を行ったが、着色した表示媒体用粒子を用いてカラー表示を行ってもよい。
図１０に示すように、セル７３には、黒色表示媒体用粒子５７ａからなる黒色表示媒体５７、および赤色表示媒体用粒子８５ａからなる赤色表示媒体８５が封入されている。また、セル７５には、黒色表示媒体用粒子５７ａからなる黒色表示媒体５７、および緑色表示媒体用粒子８７ａからなる緑色表示媒体８７が封入されている。また、セル７７には、黒色表示媒体用粒子５７ａからなる黒色表示媒体５７、および青色表示媒体用粒子８９ａからなる青色表示媒体８９が封入されている。上記赤色表示媒体用粒子８５ａ、緑色表示媒体用粒子８７ａ、青色表示媒体用粒子８９ａはマイナスの帯電特性を有しており、上記黒色表示媒体用粒子５７ａはプラスの帯電特性を有している。そして、各セル７３、７５、７７において、背面側基板３１ａに設けたＩＴＯ透明電極４９と、表示側基板３１ｂに設けたＩＴＯ透明電極５１との間に電圧を印加することにより、デザインのカラー表示を行うことができる。なお、上記では、赤、緑、青の表示媒体用粒子を用いたが、この他に、シアン、マゼンタ、イエローの組合せ、その他の組合せであってもよい。
【０１１７】
（第４の実施形態）
第１実施形態では、構造体が自動車であったが、構造体がオートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかであってもよい。なお、電話機は、携帯電話を含むものとする。
【０１１８】
（第５の実施形態）
第１実施形態では、構造体が自動車であったが、構造体が自動車、オートバイ、自転車、コンピュータ、ディスプレイ、キーボード、マウス、テレビ、ラジオ、ビデオデッキ、カメラ、電話機、ゲーム機、エアコン、照明器具、棚、ガラス戸、収納体、キッチン、容器、食器、缶、ペットボトル、室内の壁、天井、戸、扉、ドア、机、玩具、筆記用具、カバン、靴、箱、タンス、鏡台、クローゼットのいずれかの外観を構成する部品であってもよい。
【０１１９】
（第６の実施形態）
第１実施形態では、表示側基板乃至表示部を保護する手段が設けられていなかったが、
第６実施形態のように、表示側基板、表示部を保護する手段を設けてもよい。図１１に示すように、図２で説明した電子ペーパー３１の外側に保護部材９１を設けた。上記保護部材９１は、ねじ９３により、前側ドア１７に固定される。なお、上記保護部材９１の前側ドア１７への固定方法は、接着、圧着、嵌着などであってもよい。
【０１２０】
上記構成によれば、表示側基板、表示部を保護する電子ペーパー、外観可変装置、外観可変構造体のいずれかを提供することができる。
【０１２１】
（第７の実施形態）
第６実施形態では、電子ペーパーを前側ドアに付設し、電子ペーパーの外側に保護部材を設けたが、電子ペーパーを保護部材に付設してもよい。図１２に示すように、保護部材９１の前側ドア１７側の面９１ａに、電子ペーパー３１を付設した。上記構成によれば、第６実施形態と同様に、表示側基板、表示部を保護する電子ペーパー、外観可変装置、外観可変構造体のいずれかを提供することができる。
【０１２２】
（第８の実施形態）
第８の実施形態のように、電子ペーパーを、保護部材と前側ドアの間に挟んでもよい。図１３に示すように、保護部材９１と前側ドア１７の間に、電子ペーパー３１を挟むようにした。図１３では、保護部材９１と電子ペーパー３１との間、電子ペーパー３１と前側ドア１７との間に隙間９３、９５を設けたが、上記隙間９３、９５は設けないようにしてもよい。上記構成によれば、第６実施形態と同様に、表示側基板、表示部を保護する電子ペーパー、外観可変装置、外観可変構造体のいずれかを提供することができる。
【０１２３】
（第９の実施形態）
第９の実施形態のように、電子ペーパーの表示側基板が、保護部材としての機能を持たせてもよい。図１４に示すように、電子ペーパー３１の表示側基板３１ｂの厚みを増して保護部材としての機能を持たせた。上記構成によれば、表示部を保護する電子ペーパー、外観可変装置、外観可変構造体のいずれかを提供することができる。
【０１２４】
（その他の実施形態）
第１実施形態乃至第５実施形態では、電子ペーパーが、２枚の基板間に表示媒体を封入し、２枚の基板のそれぞれに設けたパターン電極に電圧印可手段による電圧を印可して、表示媒体に電界を付与することによって、表示媒体を移動させてデザインを表示するものであったが、電子ペーパーが、電気泳動方式、フレキシブル基板用ＴＦＴ方式、フレキシブル有機ＥＬ方式、液晶方式、ツイストボール方式のいずれかで構成されててもよい。
【０１２５】
また、上記実施形態では、２枚の基板（背面側基板、表示側基板）を用いた電子ペーパー、外観可変装置、外観可変構造体について説明したが、例えば、赤色表示用の２枚の基板、緑色表示用の２枚の基板、青色表示用の２枚の基板を重ね合わせた電子ペーパーであってもよい。この場合、最も構造体に近い基板を背面側基板、背面側基板から視認側に積層される基板を表示側基板と称するものとする。
【０１２６】
なお、電子ペーパーが携帯電話に付設される場合、デザインデータ選択表示手段は、携帯電話のキーまたは表示画面のタッチパネル操作によるものであってもよい。
【符号の説明】
【０１２７】
１１・・・自動車
１３・・・一体型フロントバンパー
１５・・・フロントフェンダー
１７・・・前側ドア
１９・・・後側ドア
２１・・・リアフェンダー
２３・・・ボンネット
２５・・・Ａピラー
２７・・・Ｃピラー
２９・・・ルーフ
３１・・・電子ペーパー
３１ａ・・・背面側基板
３１ｂ・・・表示側基板
３１ｃ・・・付設面
３１ｄ・・・封入面
３１ｅ・・・隔壁
３１ｆ・・・セル
３１ｇ・・・封入面
３１ｈ・・・表示面
３３、３５、３７、３９、４１、４３、４５、４７・・・電子ペーパー
４９・・・ＩＴＯ透明電極
５１・・・ＩＴＯ透明電極
５３・・・表示媒体
５５・・・白色表示媒体
５５ａ・・・白色表示媒体用粒子
５７・・・黒色表示媒体
５７ａ・・・黒色表示媒体用粒子
５９・・・駆動制御部
６１・・・電圧印加手段
６３・・・制御手段
６５・・・デザイン記憶手段
６７・・・データ選択表示手段
６９・・・会社ロゴ
７１・・・会社マーク
７３・・・セル
７５・・・セル
７７・・・セル
７９・・・赤色カラーフィルタ
８１・・・緑色カラーフィルタ
８３・・・青色カラーフィルタ
８５・・・赤色表示媒体
８５ａ・・・赤色表示媒体用粒子
８７・・・緑色表示媒体
８７ａ・・・緑色表示媒体用粒子
８９・・・青色表示媒体
８９ａ・・・青色表示媒体用粒子
９１・・・保護部材
９１ａ・・・面
９３・・・隙間
９５・・・隙間
【図１】
2011013554.tif 000003
【図２】
2011013554.tif 000004
【図３】
2011013554.tif 000005
【図４】
2011013554.tif 000006
【図５】
2011013554.tif 000007
【図６】
2011013554.tif 000008
【図７】
2011013554.tif 000009
【図８】
2011013554.tif 000010
【図９】
2011013554.tif 000011
【図１０】
2011013554.tif 000012
【図１１】
2011013554.tif 000013
【図１２】
2011013554.tif 000014
【図１３】
2011013554.tif 000015
【図１４】
2011013554.tif 000016